(57)【要約】【課題】本発明は、表示装置に関し、表示画面での指定領域内の表示と指定領域外の表示とを区別させることを目的とする。【解決手段】表示画面に、縮尺入力スイッチの操作に従って縮尺が変更される地図を表示する。また、領域指定入力スイッチの操作に従って、地図上の指定領域を指定する。表示画面に指定領域が表示されていない場合、すなわち、指定領域以外の領域が表示されている場合には、表示画面上の地図を通常どおり表示する。一方、表示画面に指定領域が表示されている場合には、その指定領域内について地図自体を視認可能としつつ明度や色相等を変更することにより通常時とは異なる表示を行う。【選択図】        図４
2004317989.tif 000002
【特許請求の範囲】
【請求項１】
対象を表示画面に縮尺変更可能に表示する表示手段と、該表示画面に表示され得る対象の全部又は一部の絶対領域を指定する領域指定手段と、を備える表示装置であって、
前記表示手段は、前記領域指定手段により指定された前記絶対領域と該絶対領域以外の領域とが区別される態様で前記対象を前記表示画面に表示することを特徴とする表示装置。
【請求項２】
前記表示手段は、前記領域指定手段により指定された前記絶対領域の前記表示画面への表示を通常時とは異なる表示とすることを特徴とする請求項１記載の表示装置。
【請求項３】
前記表示手段は、また、現時点での前記表示画面上における縮尺を該表示画面に表示することを特徴とする請求項１記載の表示装置。
【請求項４】
前記表示手段は、また、現時点で前記領域指定手段により指定されている前記絶対領域の指定サイズを前記表示画面に表示することを特徴とする請求項１記載の表示装置。
【請求項５】
前記表示手段は、前記領域指定手段により指定された前記絶対領域の重心を前記表示画面に視認可能に表示し得ることを特徴とする請求項１記載の表示装置。
【請求項６】
前記表示手段は、前記領域指定手段により指定された前記絶対領域を前記表示画面に表示する際、該絶対領域を示す固有の識別情報を表示することを特徴とする請求項１記載の表示装置。
【請求項７】
前記対象が地図であることを特徴とする請求項１乃至６の何れか一項記載の表示装置。
【発明の詳細な説明】
【０００１】
【発明の属する技術分野】
本発明は、表示装置に係り、特に、対象を表示画面に縮尺変更可能に表示すると共に、表示画面に表示され得る対象の全部又は一部の絶対領域を指定可能な表示装置に関する。
【０００２】
【従来の技術】
従来より、例えば地図情報等の対象を表示画面に縮尺変更可能に表示する表示装置が知られている（例えば、特許文献１参照）。特許文献１に記載された表示装置においては、表示画面に表示された対象のうちから所定領域が指定されると、その領域が枠で囲まれ、その後、その指定された領域が表示画面全体に自動的に縮尺を変えて表示される。
【０００３】
【特許文献１】
特開平９−２８２４４５号公報
【０００４】
【発明が解決しようとする課題】
ところで、表示画面に表示された対象のうちから地図上における絶対的なサイズの領域が指定された後、表示画面に表示される対象の縮尺が広域のものから狭域（詳細）のものへ任意に変更されるものにおいては、表示画面に対する上記した指定領域の面積は相対的に増大する。この際、縮尺及びその画面中心によっては、表示画面の全体が指定領域における対象を表示し、或いは逆に、指定領域を全く含まないものとなり得る。かかる状況下において、指定領域の表示が上記特許文献１の装置の如く枠のみで囲まれたものであると、現時点における表示画面が指定領域内を表示しているのか、或いは、指定領域外を表示しているのかを看者が区別することができない不都合が生ずる。
【０００５】
本発明は、上述の点に鑑みてなされたものであり、表示画面での指定領域内の表示と指定領域外の表示とを区別させることが可能な表示装置を提供することを目的とする。
【０００６】
【課題を解決するための手段】
上記の目的は、請求項１に記載する如く、対象を表示画面に縮尺変更可能に表示する表示手段と、該表示画面に表示され得る対象の全部又は一部の絶対領域を指定する領域指定手段と、を備える表示装置であって、
前記表示手段は、前記領域指定手段により指定された前記絶対領域と該絶対領域以外の領域とが区別される態様で前記対象を前記表示画面に表示する表示装置により達成される。
【０００７】
本発明において、表示画面には、指定された対象の全部又は一部の絶対領域とその指定された絶対領域以外の領域とが区別される態様で対象が表示される。このため、表示画面全体が指定領域に係るもの又は指定領域外に係るものとなった場合にも、その表示画面が指定領域内を表示しているのか指定領域外を表示しているのかを区別させることができる。
【０００８】
この場合、請求項２に記載する如く、請求項１記載の表示装置において、前記表示手段は、前記領域指定手段により指定された前記絶対領域の前記表示画面への表示を通常時とは異なる表示とすることとしてもよい。
【０００９】
ところで、請求項３に記載する如く、請求項１記載の表示装置において、前記表示手段は、また、現時点での前記表示画面上における縮尺を該表示画面に表示することとすれば、表示画面に指定領域が表示される際にその指定領域のおおよその絶対サイズを提供することができる。
【００１０】
また、請求項４に記載する如く、請求項１記載の表示装置において、前記表示手段は、また、現時点で前記領域指定手段により指定されている前記絶対領域の指定サイズを前記表示画面に表示することとすれば、表示画面に指定領域が表示される際にその指定領域の正確な絶対サイズを提供することができる。
【００１１】
尚、請求項５に記載する如く、請求項１記載の表示装置において、前記表示手段は、前記領域指定手段により指定された前記絶対領域の重心を前記表示画面に視認可能に表示し得ることとすれば、表示画面に指定領域が表示される際にその表示が指定領域の重心近傍を映し出しているか否かの判別を容易に行わせることができる。
【００１２】
また、請求項６に記載する如く、請求項１記載の表示装置において、前記表示手段は、前記領域指定手段により指定された前記絶対領域を前記表示画面に表示する際、該絶対領域を示す固有の識別情報を表示することとすれば、表示画面に表示される指定領域に関する情報を他の指定領域と区別し得る態様で提供することができる。
【００１３】
更に、請求項７に記載する如く、請求項１乃至６の何れか一項記載の表示装置において、前記対象が地図であることとしてもよい。
【００１４】
【発明の実施の形態】
図１は、本発明の一実施例である表示装置１０のシステム構成図を示す。本実施例の表示装置１０は、車両やパソコン等に搭載され、地図を表示する装置である。表示装置１０は、使用者（看者）が視認可能な表示画面１２と、ナビゲーションコンピュータ１４と、を備えており、表示画面１２に映し出す地図表示をナビゲーションコンピュータ１４により制御する。ナビゲーションコンピュータ１４には、ＤＶＤやＣＤ等により構成された地図情報を格納する地図媒体１６が接続されている。ナビゲーションコンピュータ１４は、車両等の現在位置近傍或いは使用者等の選択した選択位置近傍の地図を地図媒体１６から読み出し、その読み出した地図を表示画面１２に表示する。
【００１５】
図２は、本実施例の表示装置１０における表示画面１２を模式的に表した図を示す。図１に示す如く、ナビゲーションコンピュータ１４には、使用者が操作可能な縮尺入力スイッチ１８及び領域指定入力スイッチ２０が接続されている。縮尺入力スイッチ１８及び領域指定入力スイッチ２０は共に、図２に示す如く、表示画面１２に現われるタッチ式のオン・オフスイッチである。尚、これらのスイッチ１８，２０は、表示画面１２に現われるタッチ式のスイッチである必要はなく、表示画面１２の外に常時設けられるものであってもよい。
【００１６】
縮尺入力スイッチ１８は、表示画面１２に表示される地図の縮尺を段階的に詳細側（狭域側）へ変更するための詳細スイッチ１８ａと、その地図縮尺を段階的に広域側へ変更するための広域スイッチ１８ｂと、を有している。また、領域指定入力スイッチ２０は、後に詳述する地図上の指定領域Ｓの絶対的なサイズ（寸法）を段階的に拡大するためのサイズ拡大スイッチ２０ａと、地図上の指定領域Ｓの絶対的なサイズを段階的に縮小するためのサイズ縮小スイッチ２０ｂと、領域指定を確定するための完了スイッチ２０ｃと、を有している。
【００１７】
ナビゲーションコンピュータ１４は、縮尺入力スイッチ１８の詳細スイッチ１８ａが操作されるごとに地図縮尺を現状のものから予め定められている詳細なものへ変更し、また、広域スイッチ１８ｂが操作されるごとに地図縮尺を現状のものから予め定められている広域なものへ変更する。また、ナビゲーションコンピュータ１４は、地図上の領域が指定される際に領域指定入力スイッチ２０を表示画面１２に表示すると共に、指定領域Ｓの重心が定められている状態で領域指定入力スイッチ２０のサイズ拡大スイッチ２０ａが操作されるごとに地図上の指定領域Ｓの絶対サイズを予め定められているものへ拡大し、また、サイズ縮小スイッチ２０ｂが操作されるごとに地図上の指定領域Ｓの絶対サイズを予め定められているものへ縮小する。
【００１８】
ナビゲーションコンピュータ１４には、メモリ２２が取り付けられている。ナビゲーションコンピュータ１４は、地図上の領域が指定された状態で完了スイッチ２０ｃが操作された場合に、メモリ２２にその指定領域Ｓの情報を格納させる。メモリ２２は、ナビゲーションコンピュータ１４の指令に従って、指定領域Ｓの情報、具体的には、その地図上での絶対サイズや位置，名称等を格納する。メモリ２２は、多数の指定領域Ｓの情報を格納できるだけの容量を有している。
【００１９】
表示画面１２には、縮尺表記部１２ａ及び絶対サイズ表記部１２ｂが設けられている。ナビゲーションコンピュータ１４は、表示画面１２に地図を表示する際に、縮尺表記部１２ａにその時点で設定されている地図の縮尺を表記する。例えば図２に示す如く表示画面１２上における単位長が「○○」ｋｍ等に相当するものであることを表示する。また、ナビゲーションコンピュータ１４は、地図上の領域が指定される際に、絶対サイズ表記部１２ｂにその時点で設定されている指定領域Ｓの絶対サイズを表記する。例えば図２に示す如く絶対サイズが「○○」ｋｍ等であることを表示する。
【００２０】
次に、本実施例の表示装置１０の動作について説明する。
【００２１】
本実施例において、ナビゲーションが起動されると、ナビゲーションコンピュータ１４は、ＧＰＳ衛星による電波等を受信して車両等の現在位置を検知し、その現在位置近傍の地図情報を所定の縮尺に従って地図媒体１６から読み出し、その読み出した地図を表示画面１２に表示する。以後、縮尺入力スイッチ１８が使用者によりタッチ操作されるごとに、その操作に従って縮尺が変更された地図を地図媒体１６から読み出し、その地図を表示画面１２に表示する。
【００２２】
また、ナビゲーションコンピュータ１４は、領域指定のための登録スイッチ（図示せず）が操作されると、表示画面１２に地図が表示される状態で表示画面１２の中心に指定すべき領域の重心を表示すると共に、その表示画面１２に領域指定入力スイッチ２０を表示し、絶対サイズ表記部１２ｂに絶対サイズを表記する。その後、表示画面１２上の地図のスクロール操作が行われると、領域の重心を表示画面１２の中心から移動させることなく表示画面１２上で地図自体をスクロールする。この場合には、領域の重心が地図上で相対的に移動する。また、表示画面１２上の地図の縮尺の変更操作が行われると、領域の重心を表示画面１２の中心から移動させることなく表示画面１２上の地図の縮尺を変更する。
【００２３】
かかる状況下、ナビゲーションコンピュータ１４は、上記したスクロール操作により領域の重心が、例えばナビゲーションの経路案内が行われる際に経路として回避したい地点（渋滞地点等）或いは経路として必ず通過したい地点に指定され又は任意の地点に指定され、サイズ拡大スイッチ２０ａが一回オン・オフ操作されると、地図上でその指定地点を重心とした所定のサイズ（例えば１０ｍ）四方の指定領域Ｓをその指定領域Ｓ以外の領域と区別し得る態様で表示画面１２に縮尺に応じた大きさで表示する。以後、領域指定入力スイッチ２０が使用者によりタッチ操作されるごとに、その操作に従ってサイズ（絶対サイズ）が変更された指定領域Ｓを表示画面１２に表示する。
【００２４】
そして、ナビゲーションコンピュータ１４は、表示画面１２に指定領域Ｓが表示されている状態で完了スイッチ２０ｃが使用者によりタッチ操作されると、その指定領域Ｓの情報をメモリ２２に記憶させる。以下、同様の操作が行われるごとに指定領域Ｓの情報をメモリ２２に記憶させる。すなわち、ナビゲーションコンピュータ１４は、複数の指定領域Ｓの情報をメモリ２２に記憶させることができる。また、ナビゲーションコンピュータ１４は、指定領域Ｓの情報をメモリ２２に記憶させる際、その指定領域Ｓの固有の識別情報を示す名称を自動的に或いは使用者の操作により同時にメモリ２２に記憶させる。
【００２５】
このように指定領域Ｓが指定され、その情報がメモリ２２に記憶されると、以後、ナビゲーションの機能である目的地までの経路案内等が行われる際に、その指定領域Ｓが経路として含まれないように又は必ず含まれるように経路生成等が行われる。また、現在位置がその指定領域Ｓの近傍に達し或いは表示画面１２における画面中心の地点が地図のスクロールによりその指定領域Ｓの近傍に達した際に、その指定領域Ｓが指定領域外と区別し得る態様で表示画面１２に現われる。このため、本実施例によれば、領域指定により、渋滞地点等を避けた或いは好みの地点を必ず通過した経路案内を実行することができると共に、また、その渋滞地点等が近くに位置することを使用者に表示画面１２を介して知らせること等ができる。
【００２６】
図３は、本実施例において表示画面１２に対する指定領域Ｓの相対的な面積を説明するための図を示す。本実施例において、上記の如く指定された指定領域Ｓは、地図上での絶対的なサイズを有している。このため、指定された指定領域Ｓの表示画面１２に対する大きさは、表示画面１２における地図の縮尺に応じて異なる。例えば、指定領域Ｓの絶対サイズが図３（Ａ）に示す如く１ｋｍ四方のものである場合には、表示画面１２における地図の縮尺が１ｋｍスケールであると、すなわち、表示画面１２上における単位長が１ｋｍに相当するものであると、表示画面１２に図３（Ｂ）に示す如き面積の比較的小さい指定領域Ｓが現われ、地図の縮尺が２００ｍスケールであると、表示画面１２に図３（Ｃ）に示す如き面積が比較的中程度である指定領域Ｓが現われ、また、地図の縮尺が５０ｍスケールであると、表示画面１２に図３（Ｄ）に示す如き面積の比較的大きな表示画面１２の枠からはみ出る程度の指定領域Ｓが現われる。
【００２７】
この点、本実施例においては、地図の縮尺が詳細側である際、表示画面１２の画面中心と指定領域の重心との距離によって、表示画面１２全体が地図の指定領域Ｓにおける地図を表示している事態、或いは逆に、指定領域Ｓ以外の領域における地図を表示している事態が生ずる。かかる事態が生じている状況下において、表示画面１２での指定領域Ｓの表示がその指定領域Ｓの外縁を線で描いた枠のみであると、現時点における表示画面１２が指定領域Ｓ内を表示しているのか或いは指定領域外を表示しているかを使用者が区別することができなくなる。
【００２８】
そこで、本実施例の表示装置１０は、表示画面１２での指定領域Ｓ内の表示と指定領域外の表示とを区別させる点に特徴を有している。以下、本実施例の特徴部について説明する。
【００２９】
本実施例において、ナビゲーションコンピュータ１４は、指定領域Ｓが表示画面１２に表示される場合、その指定領域Ｓ内の表示を通常時（領域指定がされていない状態）とは異なる表示すなわち指定領域外のものとは異なる表示とする。具体的には、指定領域Ｓ内を、地図自体を視認可能としつつ、例えば通常よりも明度を低く或いは高くし、又は、赤みや青み，黄色みを強く或いは弱くして色相変更を行う。かかる構成においては、地図上の指定領域Ｓとその指定領域Ｓ以外の領域とが区別された態様で地図が表示画面１２に表示されることとなる。
【００３０】
図４は、本実施例において表示画面１２に指定領域Ｓが表示される際の具体的表示を表した図を示す。また、本実施例において、ナビゲーションコンピュータ１４は、指定領域Ｓが表示画面１２に表示される場合、その指定領域Ｓの固有の識別情報を示す文字による名称を表示画面１２上の指定領域Ｓ内に重畳して表示する（尚、図４において名称は「ＡＢＣ」である。）。この際、名称は、原則として表示画面１２上で指定領域Ｓの重心近傍に表示されるが、指定領域Ｓの重心位置が表示画面１２上に映し出された地図の枠からはみ出る場合には表示画面１２上でその重心に最も近い側端部に表示される。かかる構成においては、地図上の指定領域Ｓとその指定領域Ｓ以外の領域とが区別された態様で地図が表示画面１２に表示されると共に、指定領域Ｓが表示画面１２に表示される際にその指定領域Ｓの固有の識別名称が提供され、また、その指定領域Ｓの重心自体又はその重心の位置する方向が提供される。
【００３１】
このように、表示装置１０において、表示画面１２における地図の表示は、指定領域Ｓとその指定領域Ｓ以外の領域とを区別し得る態様で行われる。従って、本実施例の表示装置１０によれば、表示画面１２に映し出された地図を見る使用者に、表示画面１２での指定領域Ｓ内の表示と指定領域Ｓ以外の領域の表示とを区別させることができ、その結果、例え表示画面１２における地図の縮尺が詳細側に選択されることにより表示画面１２全体が指定領域Ｓに係るもの或いは指定領域外に係るものとなる場合にも、その表示画面１２が指定領域Ｓ内を表示しているのか或いは指定領域外を表示しているのかを認識させることが可能となる。
【００３２】
上記の如く、本実施例において、領域指定は、複数の領域について行うことができる。また、表示装置１０において、指定領域Ｓが表示画面１２に表示される際には、その指定領域Ｓの固有の識別名称も同時に表示される。従って、かかる表示装置１０によれば、複数の指定領域Ｓが指定されている状況下において、表示画面１２に表示される指定領域Ｓの固有の識別名称を他の指定領域Ｓと区別し得る態様で使用者に提供することができ、その結果、表示画面１２に表示される指定領域Ｓが複数のうち何れの指定領域Ｓであるのかを個々に区別して使用者に認識させることができる。
【００３３】
更に、表示装置１０において、指定領域Ｓが表示画面１２に表示される際、その指定領域Ｓの固有の識別名称は、その重心が表示画面１２上の地図内に位置する場合にはその重心近傍に、一方、その重心が表示画面１２上の地図内に位置しない場合には表示画面１２上でその重心の位置する側の端部に表示される。このため、本実施例によれば、表示画面１２における地図の縮尺が詳細側に選択されることにより表示画面１２全体が指定領域Ｓに係るもの或いは指定領域外に係るものとなった場合、使用者に現在位置や特定位置の指定領域Ｓ全域に対する具体的な相対位置又はその相対位置方向を認識させることができ、これにより、表示画面１２上の地図をスクロールする際には使用者に指定領域Ｓの重心を考慮して行わせることが可能となる。
【００３４】
図５は、領域指定を行うべく、本実施例においてナビゲーションコンピュータ１４が実行する制御ルーチンのフローチャートの一例を示す。図５に示すルーチンは、領域指定のための登録スイッチが操作されるごとに起動されるルーチンである。図５に示すルーチンが起動されると、まずステップ１００の処理が実行される。
【００３５】
ステップ１００では、表示画面１２上に映し出された地図が使用者の操作によりスクロールされることで、指定すべき領域の重心位置を指定する処理が実行される。ステップ１０２では、縮尺入力スイッチ１８が使用者により操作されることで、表示画面１２上での地図の縮尺を指定する処理が実行される。ステップ１０４では、上記ステップ１００で指定された重心位置を表示画面１２の中心に固定した状態で、表示画面１２に上記ステップ１０２で指定された縮尺に従った地図を表示する処理が実行される。
【００３６】
ステップ１０６では、領域指定入力スイッチ２０の操作により、上記ステップ１００で指定された重心位置を中心とした指定領域Ｓの絶対サイズを指定・変更する処理が実行される。ステップ１０８では、完了スイッチ２０ｃの操作により、絶対サイズが定められた指定領域Ｓの指定が完了したか否かが判別される。その結果、否定判定がなされた場合は、上記ステップ１００以降の処理が再び実行される。一方、肯定判定がなされた場合は、次にステップ１１０の処理が実行される。
【００３７】
ステップ１１０では、上記ステップ１０８で完了スイッチ２０ｃがオン操作される時点における指定領域Ｓの情報、具体的には、その地図上での絶対サイズ及び位置をメモリ２２に格納すると共に、その情報格納を行う指定領域Ｓの固有の識別名称を設定してその名称をリンクさせてメモリ２２に格納する処理が実行される。本ステップ１１０の処理が終了すると、今回のルーチンは終了される。
【００３８】
上記図５に示すルーチンによれば、地図上での絶対サイズを有する指定領域Ｓに関する情報をメモリ２２に記憶させることができる。このため、その記憶後、経路案内が行われる際には、その指定領域Ｓを考慮した経路生成を行わせることができ、使用者の意思に従った経路案内を行わせることが可能となる。また、地図表示時には、渋滞地点等となり得る指定領域Ｓが近くに位置することを使用者に表示画面１２を介して知らせることが可能となる。
【００３９】
図６は、指定領域を表示画面に表示すべく、本実施例においてナビゲーションコンピュータ１４が実行する制御ルーチンのフローチャートの一例を示す。図６に示すルーチンは、ナビゲーションが起動された後、所定時間ごとに繰り返し起動されるルーチンである。図６に示すルーチンが起動されると、まずステップ１２０の処理が実行される。
【００４０】
ステップ１２０では、表示画面１２に、メモリ２２に記憶されている指定領域Ｓがその一部でも表示される状態にあるか否かが判別される。その結果、メモリ２２に一つの指定領域Ｓの情報も格納されていない場合又は表示画面１２上の地図に指定領域が全く含まれない場合には否定判定がなされ、以後、何ら処理が進められることなく今回のルーチンは終了される。このため、かかる状況下では、表示画面１２に映し出される地図表示は通常どおりのものとなる。一方、表示画面１２上の地図に指定領域Ｓが一部でも含まれる場合には肯定判定がなされ、次にステップ１２２の処理が実行される。
【００４１】
ステップ１２２では、表示画面１２全体が指定領域Ｓに係るものであるか否かが判別される。その結果、肯定判定がなされた場合は次にステップ１２４の処理が実行される。一方、否定判定がなされた場合は次にステップ１２６の処理が実行される。
【００４２】
ステップ１２４では、表示画面１２全体の地図を、例えば明度や色相等を変更することにより通常時とは異なる表示にする処理が実行される。また、ステップ１２６では、表示画面１２全体の地図のうち指定領域Ｓ内を、上記ステップ１２４の処理と同様に例えば明度や色相等を変更することにより通常時とは異なる表示にする処理が実行される。
【００４３】
ステップ１２４又は１２６の処理により指定領域Ｓの表示が行われる際には、指定領域Ｓの重心が表示画面１２上の地図内に位置する場合にはその重心近傍に、一方、その重心が表示画面１２上の地図内に位置しない場合には表示画面１２上でその重心の位置する側の端部に、その指定領域Ｓの固有の識別名称が表示される。ステップ１２４又は１２６の処理が終了すると、今回のルーチンは終了される。
【００４４】
上記図６に示すルーチンによれば、表示画面１２における地図表示を、明度や色相等の相違により並びに指定領域Ｓの固有の識別名称の表示により、地図上の指定領域Ｓとその指定領域Ｓ以外の領域とを区別し得る態様で行うことができる。従って、本実施例の表示装置１０によれば、使用者に、表示画面１２での指定領域Ｓ内の表示と指定領域Ｓ以外の領域の表示とを区別させることができる。このため、表示画面１２における地図の縮尺が詳細側に選択されることにより表示画面１２全体が指定領域Ｓに係るもの或いは指定領域外に係るものとなる場合にも、使用者は、その表示画面１２が地図上の指定領域Ｓ内を表示しているのか或いは指定領域外を表示しているのかを認識することができる。
【００４５】
ところで、本実施例においては、領域指定が行われる際および表示画面１２に指定領域Ｓが表示される際、表示画面１２の縮尺表記部１２ａにその画面１２に映し出される地図の縮尺が表記される。この場合には、その縮尺との関係で、現時点で表示画面１２に表示されている指定領域Ｓの絶対的なサイズが間接的に使用者に提供されることとなる。このため、本実施例の表示装置１０によれば、使用者は、表示画面１２に指定領域Ｓが表示される際にその指定領域Ｓのおおよその絶対的なサイズを認識することが可能となる。
【００４６】
また、本実施例においては、領域指定が行われる際、表示画面１２の絶対サイズ表記部１２ｂに現時点で設定されている指定領域Ｓの絶対サイズが表記される。このため、本実施例の表示装置１０によれば、使用者は、指定領域Ｓの指定処理を行ううえで、現時点での指定領域Ｓの絶対サイズを具体的数値として直接的に認識することができる。この点、指定領域Ｓの絶対サイズの具体的数値が示されない構成と比べて、指定領域Ｓの指定処理の容易化が図られている。
【００４７】
尚、上記の実施例においては、地図が特許請求の範囲に記載した「対象」に、指定領域Ｓが特許請求の範囲に記載した「絶対領域」に、指定領域Ｓを示す文字による名称が特許請求の範囲に記載した「固有の識別情報」に、それぞれ相当している。また、ナビゲーションコンピュータ１４が、表示画面１２への地図の表示を、指定領域Ｓと指定領域Ｓ以外の領域とを区別し得る態様で行うことにより特許請求の範囲に記載した「表示手段」が、領域指定入力スイッチ２０の操作に従って地図上の指定領域Ｓを指定することにより特許請求の範囲に記載した「領域指定手段」が、それぞれ実現されている。
【００４８】
ところで、上記の実施例においては、表示画面１２に表示する対象として地図を用いているが、本発明はこれに限定されるものではなく、例えば絵画やイラスト，景色等のカメラ等を用いて撮影した結果得られた画像を表示画面１２に表示する対象とすることとしてもよい。
【００４９】
また、上記の実施例においては、指定領域Ｓを四方が同じ長さの正方形状に形成することとしているが、本発明はこれに限定されるものではなく、円形状や楕円形状に形成することとしてもよい。
【００５０】
また、上記の実施例においては、表示画面１２に映し出す指定領域Ｓ内を通常時と異なる表示に設定することにより、指定領域Ｓとその指定領域Ｓ外の領域とを区別して表示することとしているが、本発明はこれに限定されるものではなく、表示画面１２に映し出す指定領域外を通常時と異なる表示に設定することにより、指定領域Ｓとその指定領域Ｓ外の領域とを区別して表示することとしてもよい。
【００５１】
また、上記の実施例においては、地図上の領域が指定される際に絶対サイズ表記部１２ｂにその指定領域Ｓの絶対サイズを表記することとしているが、領域指定後、表示画面１２に指定領域Ｓが表示される際にもその指定領域Ｓの絶対サイズを文字により絶対サイズ表記部１２ｂに表示することとしてもよい。この場合には、使用者に表示画面１２に表示された指定領域Ｓの正確な絶対サイズが提供されることとなる。
【００５２】
また、上記の実施例においては、表示画面１２に表示される指定領域Ｓの名称が、その指定領域Ｓの重心が表示画面１２上の地図内に位置する場合にはその重心近傍に表示され、一方、指定領域Ｓの重心が表示画面１２上の地図内に位置しない場合には表示画面１２上で重心位置を示さない位置に表示されるが、指定領域Ｓの名称がその重心近傍に表示される場合と重心近傍に表示されない場合とを区別し得る態様でかかる表示を行うこととしてもよい。この場合には、表示画面１２に指定領域Ｓが表示される際にその表示が指定領域Ｓの重心近傍を映し出しているか否かの判別を使用者が容易に行うことが可能となる。
【００５３】
また、上記の実施例においては、指定領域Ｓの名称がその重心位置近傍に表示されるが、かかる名称の表示に代えて、指定領域Ｓの重心を示すマークを表示画面１２に表示することとしてもよい。この場合においても、表示画面１２に指定領域Ｓが表示される際にその表示が指定領域Ｓの重心近傍を映し出しているか否かの判別を使用者が容易に行うことが可能となる。
【００５４】
更に、上記の実施例においては、指定領域Ｓ内の地図を通常時とは異なる表示とすることにより、指定領域Ｓ内の表示と指定領域Ｓ以外の領域の表示とを区別させることとしているが、その指定領域Ｓの外縁を線で囲む枠を表示しつつ、その指定領域Ｓ内に固有の識別名称を付すことにより、指定領域Ｓ内の表示と指定領域Ｓ以外の領域の表示とを区別させることとしてもよい。
【００５５】
【発明の効果】
上述の如く、請求項１及び２記載の発明によれば、表示画面での指定領域内の表示と指定領域外の表示とを区別させることができる。
【００５６】
請求項３記載の発明によれば、表示画面に指定領域が表示される際にその指定領域のおおよその絶対サイズを提供することができる。
【００５７】
請求項４記載の発明によれば、表示画面に指定領域が表示される際にその指定領域の正確な絶対サイズを提供することができる。
【００５８】
請求項５記載の発明によれば、表示画面に指定領域が表示される際にその表示が指定領域の重心近傍を映し出しているか否かの判別を容易に行わせることができる。
【００５９】
請求項６記載の発明によれば、表示画面に表示される指定領域に関する情報を他の指定領域と区別し得る態様で提供することができる。
【００６０】
また、請求項７記載の発明によれば、表示画面での地図に関する指定領域内の表示と指定領域外の表示とを区別させることができる。
【図面の簡単な説明】
【図１】本発明の一実施例である表示装置のシステム構成図である。
【図２】本実施例の表示装置における表示画面を模式的に表した図である。
【図３】本実施例において表示画面に対する指定領域の相対的な面積を説明するための図である。
【図４】本実施例において表示画面に指定領域が表示される際の具体的表示を表した図である。
【図５】本実施例において、絶対的な領域を指定すべく実行される制御ルーチンのフローチャートである。
【図６】本実施例において、指定領域を表示画面に表示すべく実行される制御ルーチンのフローチャートである。
【符号の説明】
１０  表示装置
１２  表示画面
１２ａ  縮尺表記部
１２ｂ  絶対サイズ表記部
１４  ナビゲーションコンピュータ
１６  地図媒体
１８  縮尺入力スイッチ
２０  領域指定入力スイッチ
Ｓ  指定領域
【図１】
2004317989.tif 000003
【図２】
2004317989.tif 000004
【図３】
2004317989.tif 000005
【図４】
2004317989.tif 000006
【図５】
2004317989.tif 000007
【図６】
2004317989.tif 000008